(57)【要約】      （修正有）【課題】繰り返し使用が可能で、振動に対してＵＳＢコネクタのプラグが抜けにくいＵＳＢプラグ抜け防止装置を提供する。【解決手段】ＵＳＢ−Ａ端子プラグ１ａを備えるＵＳＢデバイス１を収納するケース２と、ＵＳＢ−Ａ端子プラグの長辺側の外面形状に沿って成形され、当該ＵＳＢ−Ａ端子プラグと共に、ＵＳＢ−Ａ端子レセプタクル１１のピンコンタクトピン部分Ａの隙間に挿入される嵌合板４と、嵌合板４をケース２内面側で着脱可能に固定し、ケース２の外面に支持された嵌合板装着金具５とを備え、嵌合板は、金属板とこの金属板の一方の面に接着された弾力性のある絶縁材とからなり、ＵＳＢデバイス１が嵌合板４と共に圧入されるようにしたことを特徴とするＵＳＢプラグ抜け防止装置。【選択図】図１
2010021070.tif 000002
【特許請求の範囲】
【請求項１】
ＵＳＢ−Ａ端子プラグを備えるＵＳＢデバイスを収納するケースと、
前記ＵＳＢ−Ａ端子プラグの長辺側の外面形状に沿って成形され、当該ＵＳＢ−Ａ端子プラグと共に、ＵＳＢ−Ａ端子レセプタクルのピンコンタクトピン部分の隙間に挿入される嵌合板と、
前記嵌合板を前記ケース内面側で着脱可能に固定し、前記ケースの外面に支持された嵌合板装着金具と
を備え
前記嵌合板は、金属板とこの金属板の一方の面に接着された弾力性のある絶縁材とからなり、
前記ＵＳＢデバイスが前記嵌合板と共に圧入されるようにしたことを特徴とするＵＳＢプラグ抜け防止装置。
【請求項２】
前記金属板はアルミ板とし、前記絶縁材はポリエステルフィルムまたはゴムとし、前記嵌め合い板は前記アルミ板の一方の面に前記絶縁材を張り合わせて成形したことを特徴とする請求項１及び請求項２に記載のＵＳＢプラグ抜け防止装置。
【請求項３】
前記ケースには、前記ＵＳＢデバイスを前記コンタクトピン部挿入後、当該ＵＳＢデバイスと前記ケースを固定するＵＳＢプラグ固定金具を備えた請求項１に記載のＵＳＢプラグ抜け防止装置。
【発明の詳細な説明】
【技術分野】
【０００１】
本発明は、ＵＳＢコネクタのＵＳＢプラグ抜け防止装置に関する。
【背景技術】
【０００２】
ホットプラグやモバイル性という使い勝手が良いという利便性からＵＳＢコネクタを備えたＵＳＢメモリなどのＵＳＢデバイスが広く使われている。また、各種の装置にもＵＳＢコネクタが使用され、一度に複数のＵＳＢデバイスを接続して利用されるパーソナルコンピュータも増えている。
【０００３】
ＵＳＢ（Universal Serial Bus Specification Rev. 2）は、ＵＳＢコネクタケーブルが手や足等が引っ掛かり、ＵＳＢコネクタに負荷が作用すると、ＵＳＢコネクタが搭載されたパソコン本体側が台から落下して損傷が生じたりしないように、ＵＳＢコネクタを構成するプラグ側がわざと容易に抜けるような規格になっている。
【０００４】
即ち、図３、図４に示すように、ＵＳＢ−Ａ端子のレセプタクルインターフェイスの規格によれば、押し付けピン１１ａ、１１ｂのバネの部分を除いた場合、物理的に上部及び下部のピン幅には０．６４ｍｍの隙間が存在する。
【０００５】
したがって、少しの力がＵＳＢプラグに作用したり、長時間コネクタが接続された状態が続く場合において、ＵＳＢプラグが機器側から外れたりすることがある。
【０００６】
そのため、ＵＳＢプラグが機器側から抜けるのを防止する技術として、プラグの抜け止めカバーを機器側に接続し、プラグ抜け止めカバーをＵＳＢプラグに取り付けることによりＵＳＢプラグが抜けるのを防止する技術（例えば、特許文献１、２参照。）や、プラグ抜け防止パーツを用いて、ＵＳＢプラグが抜けるのを防止する技術が開示されている（例えば、特許文献３参照。）。
【特許文献１】特開２００１−１３５４１３号公報
【特許文献２】特開平１０−９２５１１号公報
【特許文献３】特開２００７−２３４４０４号公報
【発明の開示】
【発明が解決しようとする課題】
【０００７】
しかしながら、上述した特許文献１，２のようなプラグの抜け止めカバーを機器側に接続し、ＵＳＢプラグをプラグ抜け止めカバーに取り付け、ＵＳＢコネクタが機器側から抜けるのを防止する方法では、プラグの抜け止めカバーを取り付けるための特別な構造を電子機器本体の筐体に設ける必要がある。
【０００８】
また、特許文献３では電子機器本体の筐体に特別な構造を有することを必要とせず、プラグ抜け防止パーツを用いてＵＳＢプラグを防止しているが、プラグ抜け防止パーツとレセプタクルとの接触面が少なく、振動が加わり続けると接触不良や断線となる問題がある。
【０００９】
また、ＵＳＢプラグ抜け防止パーツを使用してＵＳＢプラグをレセプタクルに取り付ける、または、取り外しをする際に、力を加えることで、繰り返し使用すると場合には、ＵＳＢプラグ抜け防止パーツの絶縁材の嵌合力が弱まる問題もある。
【００１０】
本発明は上述した課題を解決するためになされたものであり、繰り返し使用が可能で、振動に対してＵＳＢコネクタのプラグが抜けにくいＵＳＢプラグ抜け防止装置を提供することを目的とする。
【課題を解決するための手段】
【００１１】
上記目的を達成するために、本発明によるＵＳＢプラグ抜け防止装置は、ＵＳＢ−Ａ端子プラグを備えるＵＳＢデバイスを収納するケースと、前記ＵＳＢ−Ａ端子プラグの長辺側の外面形状に沿って成形され、当該ＵＳＢ−Ａ端子プラグと共に、ＵＳＢ−Ａ端子レセプタクルのピンコンタクトピン部分の隙間に挿入される嵌合板と、前記嵌合板を前記ケース内面側で着脱可能に固定し、前記ケースの外面に支持された嵌合板装着金具とを備え、前記嵌合板は、金属板とこの金属板の一方の面に接着された弾力性のある絶縁材とからなり、前記ＵＳＢデバイスが前記嵌合板と共に圧入されるようにしたことを特徴とする。
【発明の効果】
【００１２】
本発明によれば、繰り返し使用が可能で、振動に対してＵＳＢコネクタのプラグが抜けにくいＵＳＢプラグ抜け防止装置を提供することが出来る。
【発明を実施するための最良の形態】
【００１３】
以下、本発明の実施例について、図１乃至図４を参照して説明する。図１は、ＵＳＢプラグ抜け防止装置１０の構成と構造を説明する造図である。図１（ａ）はその断面図で、図１（ｂ）は、図１（ａ）の下方向から見た平面図である。
【００１４】
ＵＳＢプラグ抜け防止装置１０は、
ＵＳＢ−Ａ端子プラグ１ａを備えるＵＳＢデバイス１を収納するケース２と、ＵＳＢ−Ａ端子プラグ１ａの長辺側の外面形状に沿って成形され、当該ＵＳＢ−Ａ端子プラグ１ａと共に、ＵＳＢ−Ａ端子レセプタクル１１のピンコンタクトピン部分の隙間Ａに挿入される嵌合板４と、嵌合板４をケース２内面側で着脱可能に固定し、ケース２の外面に支持された嵌合板装着金具５とから成る。
【００１５】
この嵌合板４は、金属板とこの金属板の一方の面に接着された弾力性のある絶縁材とからなり、ＵＳＢデバイス１が嵌合板４と共に圧入される。
【００１６】
次に、各構成要素の詳細について説明する。ＵＳＢデバイス１は、例えば、ＵＳＢメモリのような補助記憶デバイスで、その構造は、ＵＳＢ−Ａ端子プラグ１ａをその一端に備え、このＵＳＢ−Ａ端子プラグ１ａと一体のメモリ部１ｂをその後方に備えて成る。
【００１７】
ケース２は、ＵＳＢデバイス１と相似な形状で、ＵＳＢデバイス１の挿入軸の両端は開口され、ＵＳＢデバイス１が挿入されたとき、一方の開口部はＵＳＢ−Ａ端子プラグ１ａが、他方の開口部はメモリ部１ｂが、夫々位置する。
【００１８】
また、ケース２の材料は、アルミまたはプラスチックとし、着脱操作で変形しない程度の強度を備えるように成形される。
【００１９】
そして、ＵＳＢプラグ固定金具３は、ケース２の外部に設けるネジ機構部３ａとケース２の内部に設ける押さえ部材３ｂとからなり、ネジ機構部３ａを図１（ｂ）破線矢印で示すように回転して、押さえ部材３ｂをＵＳＢデバイス１の挿入方向に対しその鉛直方向でＵＳＢデバイス１の長辺側の面を、図１ａ実線矢印で示す方向に押し付けてケース２に半固定する。
【００２０】
嵌合板４は、図２に示すように、例えば、薄いアルミ板等の金属板４ａと、この金属板４ａの表面に接着されたゴム、または、マイラー等の弾力性のある薄い絶縁材４ｂとから成る。
【００２１】
そして、図２に示すように、嵌合板４は、ＵＳＢ−Ａ端子レセプタクル１１のコンタクトピン１１ｃとＵＳＢデバイス１のプラグ接触面Ｂとが接触するように、コンタクトピン部分の隙間Ａで、押し付けピン１１ａ及び１１ｂでロックされる位置まで挿入される。
【００２２】
この金属板４ａ、及び絶縁材４ｂの厚さは、ＵＳＢコネクタの仕様に規定される寸法公差から、金属板４ａの厚さは０．４５ｍｍ、絶縁体の厚さ０．４５ｍｍ程度にしておく。また、この幅ｗは、ＵＳＢプラグ１の挿入方向と直行する断面の長辺の寸法に、その長さ寸法Ｌは、ＵＳＢプラグ１の長辺側の面の長さ形状寸法で、その面の形状に這わせて成形しておく。
【００２３】
そして、ＵＳＢプラグ固定金具３の取り付け面の対向するケース２の外面に設けられる嵌合板装着金具５は、ＵＳＢデバイス１の長辺側の面Ｒとケース２との間に挿入される嵌合板４を着脱可能にケース２の内部で固定される金具５ａと、この金具５ａに連結され、嵌合板４をケース２の外面で固定する取手５ｂとからなる。
【００２４】
嵌合板装着金具５の金具５は嵌合板４の取付け穴Ｅと、ネジ、または、圧入可能形状のプラスチックで成形しておく。
【００２５】
次に、ＵＳＢプラグ抜け防止装置１０の動作について説明する。嵌合板４は、嵌合板装着金具５の取手５ｂを持って、コンタクトピン部分の隙間Ａにおいて、絶縁材４ｂの面をコンタクトピン部の押し付けピン側として挿入し、その後、ＵＳＢデバイス１をＵＳＢ−Ａ端子レセプタクル１１への挿入方向にＵＳＢデバイス１後方から手で押して圧入し、ＵＳＢ−Ａ端子レセプタクル１１とＵＳＢ−Ａ端子プラグ１ａとを嵌合させる。
【００２６】
したがって、本発明によれば、ＵＳＢ−Ａ端子レセプタクルのピンコンタクト部分Ａの隙間に、金属板４ａとこの金属４ａの一方の面に接着された弾力性のある絶縁材４ｂとからなる嵌合板４をＵＳＢ−Ａ端子プラグ１ａと共に圧入するようにしたので、金属板４ａを備えない絶縁材のみの場合に比べて嵌合板４の繰り返し使用が可能で、振動に対してＵＳＢコネクタのプラグが抜けにくいＵＳＢプラグ抜け防止装置１０を提供することができる。
【００２７】
尚、本発明は上述したような実施例に何ら限定されるものでなく、嵌合板装着スライド機構は、ＵＳＢデバイスと一体で成形しても良く、また、ＵＳＢプラグ固定金具は、ＵＳＢデバイスの形状により、可能な位置に設けてもよく、本発明の趣旨を逸脱しない範囲で取り付け位置及びその構造を適宜変えることが可能である。
【図面の簡単な説明】
【００２８】
【図１】本発明のＵＳＢプラグ抜け防止装置の構成と構造を説明する図。
【図２】本発明のＵＳＢプラグ抜け防止装置の嵌合部材の構造図。
【図３】ＵＳＢコネクタのレセプタクルの寸法図。
【図４】ＵＳＢコネクタのプラグの寸法図。
【符号の説明】
【００２９】
１  ＵＡＢデバイス
１ａ  ＵＳＢ−Ａ端子プラグ部
１ｂ  メモリ部
２  ケース
３  ＵＳＢプラグ固定金具
３ａ  ネジ機構部３ａ
３ｂ  押さえ部材３ｂ
４  嵌合板
４ａ  アルミ板
４ｂ  絶縁材
５  嵌合板装着金具
５ａ  金具
５ｂ  取手
１０  ＵＳＢプラグ抜け防止装置
１１  レセプタクル
１１ａ、１１ｂ  コンタクトピン押し付けピン
１１ｃ  コンタクトピン
Ａ  コンタクトピン部分の隙間
Ｂ  プラグ接触面
Ｄ  押し付けピン用穴
Ｅ  取付け穴
Ｒ  ＵＳＢデバイス挿入方向に平行なプラグの外面
【図１】
2010021070.tif 000003
【図２】
2010021070.tif 000004
【図３】
2010021070.tif 000005
【図４】
2010021070.tif 000006